(57)【特許請求の範囲】
【請求項１】
演奏者の体に着脱可能に取り付けられるベルト本体と、このベルト本体に設けられて楽器が取り付けられる制動装置とを備えた楽器支持ベルトであって、
前記制動装置は、前記楽器が取り付けられた状態で、前記楽器を演奏する際に、前記楽器の回転方向の動作を制動する構成であることを特徴とする楽器支持ベルト。
【請求項２】
前記制動装置は、前記楽器の回転方向に負荷がほとんど加わらないニュートラル状態を有し、常に前記ニュートラル状態に戻るように付勢されている構成であることを特徴とする請求項１に記載の楽器支持ベルト。
【請求項３】
前記制動装置は、前記楽器に設けられた取付部が着脱可能に取り付けられる装着部を備えていることを特徴とする請求項１または請求項２に記載の楽器支持ベルト。
【発明の詳細な説明】
【技術分野】
【０００１】
この発明は、弦楽器、管楽器、鍵盤楽器などの各種の楽器を演奏者の体の一部に装着して演奏する際に用いる楽器支持ベルトに関する。
【背景技術】
【０００２】
従来、楽器支持ベルトとしては、特許文献１に記載されているように、ベルト本体を演奏者の首に掛けて吊り下げ、このベルト本体の下部に設けられたフック部にギターなどの楽器を取り付けることにより、演奏中に楽器の落下を防ぐように構成されたものが知られている。
【先行技術文献】
【特許文献】
【０００３】
【特許文献１】特開２００７−３１６１５１号公報
【発明の概要】
【発明が解決しようとする課題】
【０００４】
しかしながら、このような従来の楽器支持ベルトでは、ベルト本体のフック部に楽器を取り付けているだけであるから、演奏者に対して楽器がふらつき易い。このため、演奏中に楽器がふらつかないように、常に演奏者が楽器を支持していなければならないという問題がある。
【０００５】
この発明が解決しようとする課題は、演奏者に対する楽器のふらつきを防いで、良好に演奏することができる楽器支持ベルトを提供することである。
【課題を解決するための手段】
【０００６】
この発明は、上記課題を解決するために、次のような構成要素を備えている。
請求項１に記載の発明は、演奏者の体に着脱可能に取り付けられるベルト本体と、このベルト本体に設けられて楽器が取り付けられる制動装置とを備えた楽器支持ベルトであって、前記制動装置は、前記楽器が取り付けられた状態で、前記楽器を演奏する際に、前記楽器の回転方向の動作を制動する構成であることを特徴とする楽器支持ベルトである。
【０００７】
請求項２に記載の発明は、前記制動部材が、前記楽器の回転方向に負荷がほとんど加わらないニュートラル状態を有し、常に前記ニュートラル状態に戻るように付勢されている構成であることを特徴とする請求項１に記載の楽器支持ベルトである。
【０００８】
請求項３に記載の発明は、前記制動装置が、前記楽器に設けられた取付部を着脱可能に取り付ける装着部を備えていることを特徴とする請求項１または請求項２に記載の楽器支持ベルトである。
【発明の効果】
【０００９】
この発明によれば、演奏者の体に着脱可能に取り付けられたベルト本体の制動装置に楽器を取り付けて演奏する際に、制動装置によって楽器の回転方向における動きを制動することができる。このため、演奏者に対する楽器のふらつきを防いで、楽器を演奏者に対して安定させることができるので、良好に演奏することができる。
【図面の簡単な説明】
【００１０】
【図１】この発明を適用した楽器支持ベルトの一実施形態において楽器支持ベルトを演奏者に取り付けた状態を示した図である。
【図２】図１に示された楽器支持ベルトにギターを取り付けた状態を示した図である。
【図３】図１に示された楽器支持ベルトの拡大斜視図である。
【図４】図３に示された楽器支持ベルトを展開した状態を示し、（ａ）はその正面図、（ｂ）はその裏面図である。
【図５】図３に示された制動装置のＡ−Ａ矢視においてギターが取り付けられた状態を示した要部の拡大断面図である。
【図６】図５に示された制動装置のダンパー部材の一部を示した拡大底面図である。
【図７】図５に示された制動装置において回転体が一方向に回転した状態を示した要部の拡大断面図である。
【図８】図７に示された制動装置のダンパー部材の一部を示した拡大底面図である。
【図９】図５に示された制動装置において回転体が逆方向に回転した状態を示した要部の拡大断面図である。
【図１０】図９に示された制動装置のダンパー部材の一部を示した拡大底面図である。
【図１１】図５に示された制動装置の制動特性を示した図である。
【図１２】図５に示された制動装置のダンパー部材のＢ−Ｂ矢視における拡大断面図である。
【図１３】図５に示された制動装置の装着部にギターの取付部を着脱する状態を示し、（ａ）は制動装置の装着部にギターの取付部を取り付けた状態を示した要部の拡大断面図、（ｂ）は制動装置の装着部にギターの取付部を取り付ける途中の状態を示した要部の拡大断面図である。
【図１４】図１〜図１３に示された一実施形態においてギターに代えて鍵盤楽器を楽器支持ベルトによって演奏者に取り付けた場合の変形例を示した図である。
【発明を実施するための形態】
【００１１】
以下、図１〜図１３を参照して、この発明を適用した楽器支持ベルトの一実施形態について説明する。
この楽器支持ベルト１は、図１および図２に示すように、演奏者２の体に装着されるベルト本体３と、このベルト本体３に設けられて、楽器であるギター４が取り付けられる制動装置５とを備えている。
【００１２】
ベルト本体３は、ナイロン（登録商標）などの合成繊維や合成皮革、天然皮革などのベルト素材からなる帯状のものである。このベルト本体３の一端部（図３では右側部）には、図１および図３に示すように、ベルト本体３の両端部を連結するための留め金具６が設けられている。これにより、このベルト本体３は、演奏者２の体の一部、例えば演奏者２の腰に巻き付けた状態で、留め金具６によってベルト本体３の両端部を連結して演奏者２に取り付けられるように構成されている。
【００１３】
制動装置５は、図１および図３に示すように、ベルト本体３に取り付けられるベース部材７と、このベース部材７に設けられてギター４が着脱可能に取り付けられるダンパー部材８とを備えている。ベース部材７は、鋳物やスチールなどの金属からなり、図３および図４に示すように、全体がほぼ長方形の角板状に形成されている。
【００１４】
このベース部材７の中央部には、図３および図４（ａ）に示すように、ダンパー部材８を収容するダンパー収納凹部９がベース部材７の表面側に開放されて設けられている。また、このベース部材７の両側部には、図３および図４（ｂ）に示すように、ベルト本体３が通り抜ける通し孔７ａ、７ｂが、ベース部材７の両側部からベース部材７の裏面（図４（ｂ）では表面）に向けて貫通して設けられている。
【００１５】
ダンパー部材８は、図５に示すように、ハウジング１０と、このハウジング１０内に回転自在に配置された回転体１１と、この回転体１１の回転を制動するための制動ばね１２とを備えている。ハウジング１０は、外側ハウジング１３と、この外側ハウジング１３に螺合する内側ハウジング１４とを備えている。
【００１６】
外側ハウジング１３は、図５および図６に示すように、全体がほぼ円筒形状に形成されている。この外側ハウジング１３の内周面には、雌ねじ部１３ａが設けられている。また、この外側ハウジング１３の上部には、円板状の鍔部１３ｂが外側ハウジング１３の内側に向けて水平に突出して設けられている。この鍔部１３ｂには、円形孔１３ｃが外側ハウジング１３の中心部に対応して設けられている。さらに、この鍔部１３ｂの下面には、押え突起１３ｄが設けられている。
【００１７】
内側ハウジング１４は、図５および図６に示すように、全体が外側ハウジング１３内に挿入するほぼ円筒形状に形成されている。この内側ハウジング１４の外周面には、外側ハウジング１３の雌ねじ部１３ａに螺合する雄ねじ部１４ａが設けられている。また、この内側ハウジング１４の下部には、図５および図６に示すように、内側ハウジング１４の下部を塞ぐ底部１４ｂが内側ハウジング１４の外周側に突出して設けられている。
【００１８】
これにより、内側ハウジング１４は、図５に示すように、その外周側に突出した底部１４ｂがスペーサ１５を介してベース部材７のダンパー収納凹部９内にビス１６によって取り付けられている。また、内側ハウジング１４における底部１４ｂの中心部には、円筒軸１７が内側ハウジング１４内に起立して設けられている。この円筒軸１７は、内側ハウジング１４の内外に貫通し、その内部に底部１４ｂの下側に開放された円柱状の空間が形成されている。
【００１９】
回転体１１は、図５および図６に示すように、全体が内側ハウジング１４内に配置されるほぼ円柱状に形成されている。この回転体１１の回転中心部には、内側ハウジング１４の円筒軸１７が挿入する軸受け穴部１８が下側に開放されて設けられている。この軸受け穴部１８は、円形状の貫通しない穴であり、その内周面が内側ハウジング１４の円筒軸１７の外周面に対面するよう構成されている。
【００２０】
これにより、回転体１１は、軸受け穴部１８の内周面が内側ハウジング１４の円筒軸１７の外周面にガイドされて回転するように構成されている。また、この軸受け穴部１８の回転中心部には、図５および図６に示すように、内側ハウジング１４の円筒軸１７内に隙間をもって挿入する軸部２０が円筒軸１７の下側に突出した状態で設けられている。
【００２１】
この場合、回転体１１は、図５に示すように、その外周面における上部が外側ハウジング１３と内側ハウジング１４との間に配置された防水リング２１に摺動可能に圧接している。また、この回転体１１は、その上面における外周部が外側ハウジング１３の鍔部１３ｂの下面に設けられた押え突起１３ｄによって押えられている。さらに、この回転体１１と内側ハウジング１４との間には、グリスなどの潤滑剤２２が封入されている。これにより、回転体１１は、外側ハウジング１３と内側ハウジング１４との両者の内部に回転自在に配置されている。
【００２２】
制動ばね１２は、図５および図６に示すように、ねじりコイルばねであり、コイル部２３を有している。この制動ばね１２は、コイル部２３が内側ハウジング１４の円筒軸１７内に配置された状態で、このコイル部２３内に回転体１１の軸部２０が挿入するように構成されている。
【００２３】
また、この制動ばね１２は、図５および図６に示すように、コイル部２３の一端部２３ａ（図５では上端部）が、軸部２０の上部に設けられた取付穴２０ａに挿入されて係止されていると共に、他端部２３ｂ（図５では下端部）が、内側ハウジング１４の円筒軸１７内から下側に突出して内側ハウジング１４の底板１４ｂの下面に固定されている。これにより、制動ばね１２は、回転体１１と内側ハウジング１４との両者に取り付けられている。
【００２４】
このため、この制動ばね１２は、図５および図６に示すように、コイル部２３が自由状態のときにニュートラル状態となり、このニュートラル状態で回転体１１が一方向、例えば図８に示す矢印Ｘ方向に回転すると、図７に示すように、コイル部２３の外径が徐々に縮んで小さくなるように構成されている。
【００２５】
すなわち、この制動ばね１２は、回転体１１が図８に示す矢印Ｘ方向に回転した際に、図７に示すように、内側ハウジング１４の円筒軸１７の内周面から徐々に離れて回転体１１の軸部２０の外周面に徐々に接近するように弾性変形する構成になっている。これにより、制動ばね１２は、図１１における右側の実線で示すように、回転体１１をニュートラル状態に戻すように作用する負荷を徐々に増大させるように構成されている。
【００２６】
また、この制動ばね１２は、図５および図６に示すように、コイル部２３が自由状態のニュートラル状態で、回転体１１が上述した方向と逆方向、例えば図１０に示す矢印Ｙ方向に回転すると、図９に示すように、コイル部２３の外径が徐々に伸びて大きくなるように構成されている。
【００２７】
すなわち、この制動ばね１２は、回転体１１が図１０に示す矢印Ｙ方向に回転した際に、図９に示すように、回転体１１の軸部２０の外周面から徐々に離れて内側ハウジング１４の円筒軸１７の内周面に徐々に接近するように弾性変形する構成になっている。これにより、制動ばね１２は、図１１における左側の実線で示すように、回転体１１をニュートラル状態に戻すように作用する負荷を徐々に増大させるように構成されている。
【００２８】
このように、この制動ばね１２は、図１１に実線で示すように、コイル部２３が自由状態のニュートラル状態を境にして、回転体１１が一方向（正方向）つまり図８に示した矢印Ｘ方向に回転すると、その回転に伴って徐々に収縮変形することにより、回転体１１をニュートラル状態に戻すように作用する負荷を徐々に増大させるように構成されている。
【００２９】
また、この制動ばね１２は、図１１に実線で示すように、ニュートラル状態を境にして、回転体１１が逆方向（負方向）つまり図１０に示した矢印Ｙ方向に回転すると、その回転に伴って徐々に膨張変形することにより、回転体１１をニュートラル状態に戻すように作用する負荷を徐々に増大させるように構成されている。
【００３０】
ところで、このような制動装置５は、図５に示すように、ギター４が着脱可能に取り付けられるように構成されている。すなわち、制動装置５のダンパー部材８は、図１〜図５に示すように、回転体１１に装着部２４が設けられ、この装着部２３にギター４の取付部２５が着脱可能に取り付けられるように構成されている。
【００３１】
この場合、ギター４の取付部２５は、強度の高い金属や合成樹脂からなり、図５に示すように、ギター４の背面にビス２６ａによって取り付けられた取付板２６と、この取付板２６に設けられた取付軸２７とを備えている。この取付軸２７の外周面には、図１２に示すように、回転止め用の突起２７ａが軸方向に沿って設けられている。また、取付軸２７の外周面には、図１３（ａ）および図１３（ｂ）に示すように、装着溝２７ｂが円周方向に沿ってリング状に形成されている。この装着溝２７ｂには、径方向に伸縮するリング状のロック部材２８が取り付けられている。
【００３２】
このロック部材２８は、金属製の丸棒を円形状に丸める際に、両端部間に隙間をもたせて丸めることにより、連続しないほぼリング状に形成されている。これにより、ロック部材２８は、外周側から中心部に向けて外力が加わると、径方向に収縮するように構成されている。すなわち、このロック部材２８は、外力が加わらない自由状態のとき、図１３（ａ）に示すように、その外周が取付軸２７の外周よりも大きく形成され、内周が取付軸２７の外周よりも小さく形成されている。
【００３３】
これにより、ロック部材２８は、図１３（ａ）に示すように、取付軸２７の装着溝２７ｂに装着されると、外周側が取付軸２７の外周面から突出し、内周側が装着溝２７ｂ内に挿入し、この状態で取付軸２７の装着溝２ｂに取り付けられている。また、このロック部材２８は、外周側から中心部に向けて外力が加わると、図１３（ｂ）に示すように、径方向に収縮して、取付軸２７の装着溝２７ｂ内に没入し、外周面が取付軸２７の外周面とほぼ同じ状態になるように構成されている。
【００３４】
一方、ギター４の取付部２５が取り付けられるダンパー部材８の回転体１１に設けられた装着部２４は、図５に示すように、外側ハウジング１３の鍔部１３ｂの円形孔１３ｃを通して上方に突出している。この装着部２４は、図１２および図１３に示すように、ギター４の取付部２５の取付軸２７が装着する円形状の軸装着穴３０を有している。この軸装着穴３０は、回転体１１の回転中心部である回転体１１の軸部２０に対応した状態で、上面側に開放されて設けられている。
【００３５】
この軸装着穴３０の内周面には、図１２に示すように、ギター４の取付軸２７の突起２７ａが挿入する回転止め溝３０ａが軸方向に沿って設けられている。これにより、装着部２４は、ギター４の取付軸２７が回転体１１の軸装着穴３０に挿入されて、ギター４の取付軸２７の突起２７ａが回転止め溝３０ａに挿入されることにより、ギター４の回転方向の動きを回転体１１に伝え、ギター４の回転方向の動きに応じて回転体１１を回転させるように構成されている。
【００３６】
また、この軸装着穴３０の内周面には、図１３（ａ）および図１３（ｂ）に示すように、ギター４の取付軸２７に取り付けられたロック部材２８が係脱可能に係合する係止溝３０ｂが円周方向に沿って設けられている。これにより、装着部２４は、図１３（ｂ）に示すように、ギター４の取付軸２７が回転体１１の軸装着穴３０に挿入する際に、軸装着穴３０の内周面によってロック部材２８を収縮させて取付軸２７の装着溝２７ｂ内に没入させるように構成されている。
【００３７】
また、この装着部２４は、図１３（ａ）に示すように、ロック部材２８を収縮した状態で軸装着穴３０の係止溝３０ｂに対応すると、ロック部材２８が弾性復帰して軸装着穴３０の係止溝３０ｂに嵌合するように構成されている。これにより、装着部２４は、ギター４の取付軸２７が回転体１１の軸装着穴３０に取り付けられ、この状態でギター４の回転方向の動きを回転体１１に伝え、ギター４の回転方向の動きに応じて回転体１１を回転させるように構成されている。
【００３８】
さらに、この装着部２４は、ロック部材２８が軸装着穴３０の係止溝３０ｂに嵌着した状態で、ギター４の取付軸２７を軸装着穴３０から抜き出す際に、図１３（ｂ）に示すように、ロック部材２８の弾性力に抗してギター４の取付軸２７を軸装着穴３０から抜き出す方向に引き出すことにより、ロック部材２８を収縮させながら軸装着穴３０の係止溝３０ｂから離脱させ、これによりギター４の取付軸２７を軸装着穴３０から抜き出させるように構成されている。
【００３９】
次に、この楽器支持ベルト１の作用について説明する。
まず、楽器支持ベルト１を演奏者２の腰に装着する。このときには、図１に示すように、ベルト本体３を演奏者２の腰に巻き付けて制動装置５を演奏者２の正面に配置させ、この状態でベルト本体３の両端部を留め金具６によって取り付ける。そして、制動装置５にギター４を取り付ける。
【００４０】
このときには、ベルト本体３に取り付けられた制動装置５のダンパー部材８における回転体１１の装着部２１が外部に露出しているので、この露出した回転体１１の装着部２１の軸装着穴３０に、ギター４の背面に設けられた取付部２５の取付軸２７を挿入させる。すなわち、ギター４の取付軸２７の外周面に設けられた突起２７ａを、図１２に示すように、装着部２１の軸装着穴３０の内周面に設けられた回転止め溝３０ａに対応させて、ギター４の取付軸２７を回転体１１の装着部２１の軸装着穴３０に挿入する。
【００４１】
すると、図１３（ｂ）に示すように、軸装着穴３０の内周面がギター４の取付軸２７に取り付けられたロック部材２８を径方向に収縮させて取付軸２７の装着溝２７ｂ内に没入させる。この状態で、ギター４の取付軸２７を回転体１１の装着部２１の軸装着穴３０に挿入する。そして、収縮した状態のロック部材２８が軸装着穴３０の係止溝３０ｂに対応すると、図１３（ａ）に示すように、ロック部材２８が弾性復帰して、その外周部が軸装着穴３０の係止溝３０ｂに嵌着する。
【００４２】
これにより、ギター４の取付軸２７が回転体１１の装着部２１に取り付けられる。この状態では、ギター４の回転方向の動きが回転体１１に伝わり、ギター４の回転方向の動きに応じて回転体１１が回転する。また、このときには、演奏者２がギター４を最も弾き易い状態、つまり図１に示すように、ギター４の回転方向の傾きを最も弾き易い角度で、ギター４の取付軸２７を回転体１１の装着部２１に取り付ける。
【００４３】
これにより、ギター４は、ダンパー装置８の制動ばね１２のニュートラル位置で、制動装置５に取り付けられる。この状態では、演奏者２がギター４を良好に演奏することができる。このように、演奏者２がギター４を演奏する際には、演奏者２が体を激しく動かしながら演奏する場合、あるいはギター４のフレット部４ａを低音域から高音域に亘って連続操作しながら演奏する場合がある。このような場合には、演奏者２の動きや、フレット部４ａの操作位置などに応じてギター４の角度が変化し、ギター４が回転する。このときには、制動装置５のダンパー部材８によってギター４の回転方向の動きを制動することができる。
【００４４】
例えば、ギター４のフレット部４ａを押し上げる方向にギター４を回転させた際には、図７および図８に示すように、制動ばね１２のコイル部２３の外径が徐々に縮んで小さくなり、回転体１１の軸部２０の外周面に徐々に接近するように弾性変形する。これにより、制動ばね１２が回転体１１をニュートラル状態に戻すように作用する負荷を徐々に増大させるので、ギター４に負荷が加わる。このため、ギター４を最も弾き易いニュートラル状態に戻すときには、制動ばね１２のばね力によって容易にギター４をニュートラル状態に戻すことができる。
【００４５】
また、ギター４のフレット部４ａを押し下げる方向にギター４を回転させた際には、図９および図１０に示すように、制動ばね１２のコイル部２３の外径が徐々に伸びて大きくなり、内側ハウジング１４の円筒軸１７の内周面に徐々に接近するように弾性変形する。これにより、制動ばね１２が回転体１１をニュートラル状態に戻すように作用する負荷を徐々に増大させるので、ギター４に負荷が加わる。このため、ギター４を最も弾き易いニュートラル状態に戻すときには、制動ばね１２のばね力によって容易にギター４をニュートラル状態に戻すことができる。
【００４６】
これにより、演奏者２が体を激しく動かしながら演奏する際、あるいはギター４のフレット部４ａを低音域から高音域に亘って連続操作しながら演奏する際に、演奏者２の動きや、フレット部４ａの操作位置などに応じてギター４を回転方向に動かしても、ギター４を最も弾き易いニュートラル状態に戻す際に、制動ばね１２のばね力によって容易に戻すことができるので、長時間演奏しても、演奏者２の肩や首がこらずに良好に演奏することができる。
【００４７】
このように、この楽器支持ベルト１によれば、演奏者２の体に着脱可能に取り付けられるベルト本体３に、ギター４が取り付けられる制動装置５を設け、この制動装置５が、ギター４を取り付けた状態で演奏する際に、ギター４の回転方向の動作を制動する構成であるから、演奏者２の体にギター４を取り付けて演奏する際に、制動装置５によってギター４の回転方向における動きを制動することができ、これにより演奏者２に対するギター４のふらつきを防いで、ギター４を演奏者２に対して安定させることができるので、良好にギター４を演奏することができる。
【００４８】
この場合、ベルト本体３を演奏者２の腰に取り付け、このベルト本体３の制動装置５にギター４を取り付けることにより、演奏者２の肩や首にギター４の荷重が掛かることない。このため、長時間演奏しても、演奏者２の肩や首がこるのを防ぐことができると共に、良好に演奏することができる。
【００４９】
また、この楽器支持ベルト１では、制動装置５がギター４の回転方向に負荷がほとんど加わらないニュートラル状態を有し、常にニュートラル状態に戻るように付勢されている構成であることにより、演奏者２が体を激しく動かしながら演奏する際、あるいはギター４のフレット部４ａを低音域から高音域に亘って連続操作しながら演奏する際に、演奏者２の動きや、フレット部４ａの操作位置などに応じてギター４を回転方向に動かしても、ギター４を最も弾き易いニュートラル状態に戻す際に、制動ばね１２のばね力によって容易に戻すことができるので、長時間演奏しても、演奏者２の肩や首がこらずに良好に演奏することができる。
【００５０】
この場合、制動装置５は、ベルト本体３に取り付けられるベース部材７と、このベース部材７に設けられてギター４が着脱可能に取り付けられるダンパー部材８とを備えているので、ギター４が取り付けられるダンパー部材８をベース部材７によってベルト本体３に容易に取り付けることができる。すなわち、ベース部材７は、その両側部にベルト本体３が通り抜ける通し孔７ａ、７ｂが、ベース部材７の両側部からベース部材７の裏面に向けて貫通して設けられているので、この通し孔７ａ、７ｂにベルト本体３を通すだけで、簡単にベース部材７をベルト本体３に取り付けることができる。
【００５１】
また、ダンパー装置８は、ハウジング１０と、このハウジング１０内に回転自在に配置された回転体１１と、この回転体１１の回転を制動するための制動ばね１２とを備えているので、制動ばね１２のばね力によって常に回転体１１をニュートラル状態に戻すように付勢することができる。すなわち、制動ばね１２は、ねじりコイルばねであり、コイル部２３を有し、このコイル部２３の一端部２３ａ（図４では上端部）が軸部２０に係止され、他端部２３ｂ（図４では下端部）が内側ハウジング１４に対して固定されているので、コイル部２３が自由状態のときにニュートラル状態となり、コイル部２３のばね力によって常に回転体１１をニュートラル状態に戻すように付勢することができる。
【００５２】
このため、このダンパー部材８によれば、回転体１１がニュートラル状態から一方向に回転すると、コイル部２３の外径が徐々に縮んで小さくなるように弾性変形することにより、回転体１１をニュートラル状態に戻すように作用する負荷を徐々に増大させることができ、また回転体１１がニュートラル状態から逆方向に回転すると、コイル部２３の外径が徐々に伸びて大きくなるように弾性変形することにより、回転体１１をニュートラル状態に戻すように作用する負荷を徐々に増大させることができる。このため、コイル部２３のばね力によって常に回転体１１をニュートラル状態に戻すように付勢することができる。
【００５３】
また、この楽器支持ベルト１によれば、制動装置５が、ギター４に設けられた取付部２５を着脱可能に取り付けるための装着部２４を備えているので、ベルト本体３を演奏者２の体に取り付けた状態で、ギター４を制動装置５に取り付けることができると共に、ギター４を制動装置５から取り外すことができ、これにより使い勝手が良いものを提供することができる。
【００５４】
この場合、ギター４の取付部２５は、ギター４の背面に取り付けられた取付板２６と、この取付板２６に設けられた取付軸２７とを備え、この取付軸２７が、その外周面に円周方向に沿ってリング状に設けられた装着溝２７ｂと、この装着溝２７ｂに取り付けられて径方向に伸縮するリング状のロック部材２８とを備えており、制動装置５の装着部２４が、回転体１１に設けられた軸装着穴３０と、この軸装着穴３０の内周面に設けられた係止溝３０ｂとを備えている構成であるから、装着部２４の軸装着穴３０にギター４の取付軸２７を挿入するだけで、ギター４を制動装置５に簡単に且つ容易に取り付けることができる。
【００５５】
すなわち、回転体１１の装着部２１の軸装着穴３０に、ギター４の背面に設けられた取付部２５の取付軸２７を挿入させる際には、軸装着穴３０の内周面がギター４の取付軸２７に取り付けられたロック部材２８を径方向に収縮させて取付軸２７の装着溝２７ｂ内に没入させ、この状態で収縮した状態のロック部材２８が軸装着穴３０の係止溝３０ｂに対応すると、ロック部材２８が弾性復帰するので、ロック部材２８の外周部を軸装着穴３０の係止溝３０ｂに嵌合させることができる。このため、ギター４の取付軸２７を回転体１１の装着部２１の軸装着穴３０に挿入するだけで、ギター４を制動装置５に簡単に且つ容易に取り付けることができる。
【００５６】
また、ギター４を制動装置５から取り外す際には、ロック部材２８の弾性力に抗してギター４の取付軸２７を軸装着穴３０から抜き出す方向に引き出すと、ロック部材２８が径方向に収縮しながら軸装着穴３０の係止溝３０ｂから離脱するので、ギター４の取付軸２７を軸装着穴３０から容易に抜き出すことができ、これによりギター４を制動装置５から簡単に且つ容易に取り外すことができる。
【００５７】
さらに、この楽器支持ベルト１では、ギター４の取付軸２７の外周面に、回転止め用の突起２７ａが軸方向に沿って設けられており、制動装置５の回転体１１に設けられた装着部２４の軸装着穴３０の内周面には、ギター４の取付軸２７の突起２７ａが挿入する回転止め溝３０ａが軸方向に沿って設けられているので、ギター４の取付軸２７を装着部２４の軸装着穴３０に挿入する際に、軸装着穴３０の回転止め溝３０ａに取付軸２７の突起２７ａを挿入させることにより、ギター４の回転方向の動きを回転体１１に確実に伝えることができ、これによりギター４の回転方向の動きに応じて回転体１１を回転させることができる。
【００５８】
なお、上述した実施形態では、ベルト本体３の制動装置５に取り付けられる楽器として、ギター４について述べたが、必ずしもギター４である必要はなく、例えば図１４に示すような鍵盤装置３５であっても良く、またこれらに限らず、三味線やベースなどの弦楽器、サックスホーンなどの管楽器など、各種の楽器に適用することができる。
【００５９】
また、上述した実施形態では、ベルト本体３を演奏者２の腰に取り付けた場合について述べたが、これに限らず、楽器に応じて演奏者の胸や腹、あるいは演奏者の太ももなどに取り付けるようにしても良い。
【００６０】
さらに、上述した実施形態では、ダンパー部材８として制動ばね１２によって回転体１１を制動する場合について述べたが、これに限らず、例えば回転体１１を摩擦抵抗によって常に一定の負荷を付与して制動する摩擦式のダンパー部材を用いても良く、また回転体１１を油圧などの液体の圧力で常に一定の負荷を付与して制動する油圧式のダンパー部材を用いても良い。
【符号の説明】
【００６１】
１  楽器支持ベルト
２  演奏者
３  ベルト本体
４  ギター
５  制動装置
７  ベース部材
８  ダンパー部材
１０  ハウジング
１１  回転体
１２  制動ばね
２４  装着部
２５  取付部
２７  取付軸
２７ａ  突起
２７ｂ  装着溝
２８  ロック部材
３０  軸装着穴
３０ａ  回転止め溝
３０ｂ  係止溝
３５  鍵盤楽器
【図１】
0005605681.tif 000002
【図２】
0005605681.tif 000003
【図３】
0005605681.tif 000004
【図４】
0005605681.tif 000005
【図５】
0005605681.tif 000006
【図６】
0005605681.tif 000007
【図７】
0005605681.tif 000008
【図８】
0005605681.tif 000009
【図９】
0005605681.tif 000010
【図１０】
0005605681.tif 000011
【図１１】
0005605681.tif 000012
【図１２】
0005605681.tif 000013
【図１３】
0005605681.tif 000014
【図１４】
0005605681.tif 000015